(57)【特許請求の範囲】
【請求項１】
先端に試料取り付け部を有する試料保持部と、上下動し、内部に充填されたソルダーペーストを上記試料保持部に取り付けられた試料に付着させるソルダーペースト保持機構と、上記ソルダーペースト保持機構の上下動の際に加わる荷重を検出する検出機構とが本体上に設けられたはんだ付け性評価装置において、
上記試料保持部に試料を取り付ける際に上記試料取り付け部を拡大する拡大鏡と、
上記本体からの引き出し及び上記本体への収納が自在とされる作業台とを備え、
上記拡大鏡は、支柱の先端に回動可能に支持された拡大レンズと、上記拡大レンズの外周部に設けられた照明手段とを備え、上記本体に形成された溝部に沿って前後方向に移動自在とされるとともに上記溝部へ収納可能とされていることを特徴とするはんだ付け性評価装置。
【請求項２】
先端に試料取り付け部を有する試料保持部と、上下動し、内部に充填されたソルダーペーストを上記試料保持部に取り付けられた試料に付着させるソルダーペースト保持機構と、上記ソルダーペースト保持機構の上下動の際に加わる荷重を検出する検出機構とが本体上に設けられたはんだ付け性評価装置において、
上記試料保持部に試料を取り付ける際に上記試料取り付け部を拡大する拡大鏡と、
上記本体からの引き出し及び上記本体への収納が自在とされる作業台とを備え、
上記拡大鏡は、支柱の先端に回動可能に支持された拡大レンズと、上記拡大レンズの外周部に設けられた照明手段とを備え、上記作業台に形成された溝部に沿って前後方向に移動自在とされるとともに上記溝部へ収納可能とされていることを特徴とするはんだ付け性評価装置。
【発明の詳細な説明】
【０００１】
【産業上の利用分野】
本発明は部品のはんだ濡れ性等を評価するはんだ付け性評価装置に関するものである。
【０００２】
【従来の技術】
様々な電子機器に組み込まれているプリント配線板においては、基板に印刷された配線回路パターン上にはんだ付けにより様々な電子部品（チップ部品）等の部品を搭載して配線回路中に電子部品等の部品を組み込むようにしている。
そして、上記プリント配線板を製造する際においては、はんだ濡れ性が非常に重要な特性となる。
【０００３】
そこで、上記プリント配線板を製造するにあたっては、使用するソルダーペーストの特性や使用する部品のはんだ濡れ性をはんだ付け性評価装置を使用して調査するようにしている。
上記はんだ付け性評価装置は、ソルダーペースト印刷，部品マウント，はんだ付け（熱風，赤外線等加熱手段を有するリフロー炉による。）という実際のはんだ付けモードに沿ってはんだ付け性を評価する装置であり、主に先端に試料取り付け部を有する試料保持部と、上下動し、内部に充填されたソルダーペーストを上記試料保持部に取り付けられた試料に付着させるソルダーペースト保持機構と、上記ソルダーペースト保持機構の上下動の際にかかる荷重を検出する検出機構よりなるものである。
【０００４】
そして、上記はんだ付け性評価装置により、例えば部品のはんだ濡れ性を評価するには、先ず、部品を試料保持部の先端の試料取り付け部に取り付ける。次に、ソルダーペースト保持機構に充填されたソルダーペーストを溶融させ、該ソルダーペースト保持機構を上昇させて上記ソルダーペースト中に部品を浸漬させる。続いて、上記ソルダーペースト保持機構を下降させて部品からソルダーペーストを離し、この時の荷重を検出機構により検出し、その検出結果を基に部品のはんだ濡れ性を評価する。
【０００５】
【発明が解決しようとする課題】
ところで、近年においては、プリント配線板の高配線密度化に伴い、部品の小型化が進められ、部品として２１２５（縦横のサイズがぞれぞれ、１．２５ｍｍ×２．０ｍｍ）サイズや３２１６（１．６ｍｍ×３．２ｍｍ）サイズの部品だけでなく、１００５（０．５ｍｍ×１．０ｍｍ）サイズや１６０８（０．８ｍｍ×１．６ｍｍ）サイズの微小部品が使用されるようになってきている。
【０００６】
そして、上記のように微小な部品のはんだ濡れ性を上記はんだ付け性評価装置により評価する場合には、ピンセットを使用して、通常チャック等よりなる試料取り付け部への取り付けを行っている。
しかし、上記取り付け作業は緻密かつ困難であり、正しい位置への取り付けも困難である。従って、上記部品のはんだ濡れ性の評価が十分に行われない可能性もある。
【０００７】
そこで本発明は、従来の実情に鑑みて提案されたものであり、微小な部品の取り付けが容易で、微小な部品のはんだ濡れ性も十分に評価可能なはんだ付け性評価装置を提供することを目的とする。
【０００８】
【課題を解決するための手段】
上述したような課題を解決するため、本発明は、先端に試料取り付け部を有する試料保持部と、上下動し、内部に充填されたソルダーペーストを上記試料保持部に取り付けられた試料に付着させるソルダーペースト保持機構と、上記ソルダーペースト保持機構の上下動の際に加わる荷重を検出する検出機構とが本体上に設けられたはんだ付け性評価装置において、上記試料保持部に試料を取り付ける際に上記試料取り付け部を拡大する拡大鏡と、上記本体からの引き出し及び上記本体への収納が自在とされる作業台とを備え、上記拡大鏡は、支柱の先端に回動可能に支持された拡大レンズと、上記拡大レンズの外周部に設けられた照明手段とを備え、上記本体に形成された溝部に沿って前後方向に移動自在とされるとともに上記溝部へ収納可能としたものである。
【００１０】
また、本発明は、先端に試料取り付け部を有する試料保持部と、上下動し、内部に充填されたソルダーペーストを上記試料保持部に取り付けられた試料に付着させるソルダーペースト保持機構と、上記ソルダーペースト保持機構の上下動の際に加わる荷重を検出する検出機構とが本体上に設けられたはんだ付け性評価装置において、上記試料保持部に試料を取り付ける際に上記試料取り付け部を拡大する拡大鏡と、上記本体からの引き出し及び上記本体への収納が自在とされる作業台とを備え、上記拡大鏡は、支柱の先端に回動可能に支持された拡大レンズと、上記拡大レンズの外周部に設けられた照明手段とを備え、上記作業台に形成された溝部に沿って前後方向に移動自在とされるとともに上記溝部へ収納可能としたものである。
【００１１】
【作用】
本発明のはんだ付け性評価装置においては、試料を試料保持部に取り付ける際の試料取り付け部を拡大する拡大鏡が設けられているため、微小部品等を試料として試料保持部に取り付ける場合も試料の取り付けが容易になされ、このような部品のはんだ濡れ性も十分に評価される。
【００１２】
なお、本発明に係るはんだ付け性評価装置において、拡大鏡は、支柱の先端に拡大レンズを回動可能に支持し、拡大レンズの外周部に照明手段を備えているので、試料を試料保持部に取り付ける際の試料取り付け部を拡大して見ることがさらに容易となる。
【００１３】
また、本発明のはんだ付け性評価装置において、拡大鏡が本体に形成された溝部に沿って前後方向に移動自在となされ、かつ上記溝部へ収納されるものであれば、拡大鏡を測定の邪魔とならない位置に移動させておける。
さらに、本発明のはんだ付け性評価装置において、拡大鏡が本体からの引き出し及び本体への収納が自在となされている作業台に形成されている溝部に沿って前後方向に移動自在となされ、かつ上記溝部へ収納されるものであれば、測定の邪魔とならないように拡大鏡を作業台へ収納し該作業台を本体へ収納しておける。
【００１４】
【実施例】
以下、本発明を適用したはんだ付け性評価装置の実施例について図面を参照しながら詳細に説明する。
本実施例のはんだ付け性評価装置は、図１に示すように、本体１の一主面１ａ上に図示しない測定部３の配されるフード２が配されてなるものである。
【００１５】
上記測定部３は図２に示されるように、主に、ソルダーペースト４の充填されたポット部５を有するソルダーペースト保持機構６と、上記ソルダーペースト保持機構６を上下動させる図示しない駆動装置と、先端に試料取り付け部であるチャック部７を有する試料保持部８と、上記ソルダーペスト保持機構６を上下動させた場合の荷重を検出する検出機構９よりなる。なお、上記ソルダーペースト保持機構６のポット部５の底部側には加熱バス１０が配され、ポット部５内に充填されているソルダーペースト４の加熱溶融が可能となされている。
【００１６】
そして本実施例のはんだ付け性評価装置においては、特に、図１に示すように、試料保持部８の試料取り付け部であるチャック部７に試料を取り付ける際に該チャック部７を拡大するための拡大鏡１１が設けられている。
上記拡大鏡１１は、支柱１２の先端に拡大レンズ１３を支持させてなるものであり、上記拡大レンズ１３は図３に示すように支柱１２との接続部を支点Ｐとして図中Ｍ1 方向（図中上下方向）及び図中Ｍ2 方向（図中左右方向）に回動自在となされている。
【００１７】
さらには、上記拡大鏡１１の拡大レンズ１３の外周部、すなわち図３中斜線部で示す部分には照明手段としてランプが設けられている。
また、本実施例のはんだ付け性評価装置においては、図１中に示すように本体１の測定部３が配される一主面１ａの本体１の前後方向に溝部１４が設けられている。そして、上記拡大鏡１１は上記溝部１４に沿って本体１の前後方向に移動自在となされ、かつ上記溝部１４に収納可能となされている。
【００１８】
さらにまた、本実施例のはんだ付け性評価装置においては、本体１の前面１ｂより図中矢印Ｍ3 方向（前後方向）に引き出す及び収納することが可能とされ、一主面１ａと平行な一主面１５ａを有する作業台１５が設けられている。
本実施例のはんだ付け性評価装置により部品のはんだ濡れ性を評価するにあたっては、先ず部品を試料保持部８のチャック部７にピンセットにより取り付けるが、この際、拡大鏡１１を前面１ｂ側に移動させて、拡大レンズ１３の向きを調整してチャック部７を拡大して見るようにすれば良い。このようにチャック部７を拡大して見るようにすれば、取り付ける部品が微小な部品であっても取り付けが容易になされ、その取り付け位置も正確な位置となる。そして、拡大鏡１１を溝部１４に収納する。
【００１９】
また、このとき、必要に応じて作業台１５を本体１の前面１ｂより引き出して使用すれば良い。
次に、上記ソルダーペースト保持機構６を駆動装置により上昇させてチャック部７に取り付けられた部品をソルダーペースト保持機構６の溶融したソルダーペースト４中に浸漬する。
【００２０】
なお、このとき、試料の取り付けに使用した拡大鏡１１は溝部１４に収納し、作業台１５も本体１に収納して測定の邪魔にならないようにする。
続いて上記ソルダーペースト保持機構６を下降させて試料からソルダーペースト４を離す。すると、試料のはんだ濡れ性により荷重が生じるため、これを検出機構９により検出し、その荷重の大きさ、荷重曲線のパターンにより試料の濡れ性を判断する。
【００２１】
本実施例のはんだ付け性評価装置においては、試料が微小であっても、試料保持部８への試料の取り付けが精度良好になされるため、はんだ濡れ性による荷重を精度良好に検出することができ、はんだ濡れ性を十分に測定できる。
また、本実施例のはんだ付け性評価装置においては、はんだ濡れ性の測定中において、拡大鏡１１を溝部１４内に収納するようにし、作業台１５も本体１内に収納するようにしているため、測定の際に邪魔となることもなく、作業性が良好である。
【００２２】
上述のはんだ付け性評価装置においては、拡大鏡１１を本体１に設けるものとしたが、拡大鏡を作業台に設けるようにしても良い。
すなわち、図４に示すように、上述の実施例と略同様の構成を有するはんだ付け性評価装置の本体１からの引き出し及び本体１への収納が可能な作業台１５の上面となる一主面１５ａに開口部が臨み、かつ本体１の前後方向に設けられる溝部１６に沿って拡大鏡２１が移動するようにしても良い。
【００２３】
そして、上記拡大鏡２１は測定時には作業台１５の溝部１６に収納するようにし、作業台１５も本体１内に収納するようにすれば良い。
本実施例のはんだ付け性評価装置も上述のはんだ付け性評価装置と同様の効果を有し、試料が微小であっても、試料保持部８への試料の取り付けが精度良好になされるため、はんだ濡れ性による荷重を精度良好に検出することができ、はんだ濡れ性を十分に測定できる。
【００２４】
また、本実施例のはんだ付け性評価装置においても、上述のはんだ付け性評価装置と同様に、はんだ濡れ性の測定中においては、拡大鏡２１を作業台１５の溝部１６内に収納し、作業台１５も本体１内に収納するようにしているため、測定の際に邪魔となることもなく、作業性が良好である。
【００２５】
【発明の効果】
以上の説明からも明らかなように、本発明のはんだ付け性評価装置においては、試料を試料保持部に取り付ける際の試料取り付け部を拡大する拡大鏡が設けられているため、微小部品等を試料として試料取り付け部に取り付ける場合も試料の取り付けが容易になされ、このような部品のはんだ濡れ性も十分に評価される。
【００２６】
そして、本発明に係るはんだ付け性評価装置において、拡大鏡は、支柱の先端に拡大レンズを回動可能に支持し、拡大レンズの外周部に照明手段を備えているので、試料を試料保持部に取り付ける際の試料取り付け部を拡大して見ることがさらに容易となる。
【００２７】
また、本発明のはんだ付け性評価装置において、拡大鏡が本体に形成された溝部に沿って前後方向に移動自在となされ、かつ上記溝部へ収納されるものであれば、拡大鏡を測定の邪魔とならない位置に移動させておけるため、作業性が良好である。
さらに、本発明のはんだ付け性評価装置において、拡大鏡が本体からの引き出し及び本体への収納が自在となされている作業台に形成されている溝部に沿って前後方向に移動自在となされ、かつ上記溝部へ収納されるものであれば、測定の邪魔とならないように拡大鏡を作業台へ収納し該作業台を本体へ収納しておけるため、作業性が良好である。
【図面の簡単な説明】
【図１】本発明を適用したはんだ付け性評価装置の一例を示す要部概略斜視図である。
【図２】本発明を適用したはんだ付け性評価装置の一例の測定部を拡大して示す模式図である。
【図３】本発明を適用したはんだ付け性評価装置の一例の拡大鏡を拡大して示す模式図である。
【図４】本発明を適用したはんだ付け性評価装置の他の例の作業台近傍を拡大して示す要部概略斜視図である。
【符号の説明】
１・・・本体
３・・・測定部
４・・・ソルダーペースト
６・・・ソルダーペースト保持機構
７・・・チャック部
８・・・試料保持部
９・・・検出機構
１１，２１・・・拡大鏡
１２・・・支柱
１３・・・拡大レンズ
１４，１６・・・溝部
１５・・・作業台
【図１】
0003543403.tif 000002
【図２】
0003543403.tif 000003
【図３】
0003543403.tif 000004
【図４】
0003543403.tif 000005